(57)【要約】【課題】手間を掛けずに効率よく柱部材と梁部材とからなる架構を形成する。【解決手段】プレキャスト製の柱部材Ｐを間隔をあけて立設し、それら隣接する柱部材Ｐ上にわたって、プレキャスト製の複数の梁部材１を連結した梁Ｂを設置して形成する架構形成方法において、予め、柱部材Ｐの上端に、梁Ｂとの連結のための差し筋２を受け入れて定着可能な差し筋受入部３を形成しておくと共に、梁部材１の端部に、隣接させる梁部材１と突き合わせて相互を接合自在な突合せ部１Ａを形成しておき、柱部材Ｐ上に、接合させる一対の梁部材１を、それぞれの突合せ部１Ａどうしが突き合わさる状態に配置して接合し、両梁部材１の突合せ部１Ａを上下に貫通して差し筋受入部３に達する状態に差し筋２を挿通して定着させ、柱部材Ｐと両梁部材１とを一体に連結する。【選択図】図１
2007303154.tif 000002
【特許請求の範囲】
【請求項１】
プレキャスト製の柱部材を間隔をあけて立設し、それら隣接する柱部材上にわたって、プレキャスト製の複数の梁部材を連結した梁を設置して形成する架構形成方法であって、
予め、前記柱部材の上端に、前記梁との連結のための差し筋を受け入れて定着可能な差し筋受入部を形成しておくと共に、前記梁部材の端部に、隣接させる梁部材と突き合わせて相互を接合自在な突合せ部を形成しておき、前記柱部材上に、接合させる一対の梁部材を、それぞれの突合せ部どうしが突き合わさる状態に配置して接合し、両梁部材の突合せ部を上下に貫通して前記差し筋受入部に達する状態に前記差し筋を挿通して定着させ、前記柱部材と両梁部材とを一体に連結する架構形成方法。
【請求項２】
前記差し筋は、前記柱部材と前記梁との仕口部上に立設させる柱部材の下端面から下方へ突出する状態に設けておき、その柱部材を立設させることで前記差し筋を仕口部に定着させる請求項１に記載の架構形成方法。
【請求項３】
前記突合せ部は、縦平面として形成しておく請求項１又は２に記載の架構形成方法。
【請求項４】
前記突合せ部は、隣接させる突合せ部どうしが組み合わさるホゾ組構造としておく請求項１又は２に記載の架構形成方法。
【発明の詳細な説明】
【技術分野】
【０００１】
本発明は、プレキャスト製の柱部材を間隔をあけて立設し、それら隣接する柱部材上にわたって、プレキャスト製の複数の梁部材を連結した梁を設置して形成する架構形成方法に関する。
【背景技術】
【０００２】
従来、この種の架構形成方法として第１番目の方法は、図１０に示すように、予め、柱部材Ｐの上端に、梁Ｂとの連結のための差し筋２を受け入れて定着可能な差し筋受入部３を形成しておくと共に、前記梁部材１の中央部に、前記差し筋２を挿入自在な差し筋挿入孔４を形成しておき、各柱部材Ｐの上に、中央部が支持される状態に各梁部材１を設置して前記差し筋挿入孔４と差し筋受入部３とにわたる状態に差し筋２を挿通して定着させ、柱部材Ｐと梁部材１とを一体に連結する方法があった。但し、差し筋２は、図中の破線で示すように、上に柱部材を立設する場合には、柱部材Ｐの下端部に突出状態に設けてある場合もある。
そして、梁スパンの中央部で対向する梁部材１どうしの連結は、梁部材１端部間の隙間で両者の鉄筋どうしを接合すると共にコンクリートＣを打設して一体化を図っていた（例えば、特許文献１参照）。
第２番目の架構形成方法は、図１１に示すように、予め、柱部材Ｐの上端に、梁Ｂとの連結のための差し筋２を受け入れて定着可能な差し筋受入部３を形成しておき、前記梁部材１を、柱部材Ｐ直上をあけた状態で梁スパン間に保持する。そして、その柱部材直上空間Ｓで、両梁部材１の鉄筋どうしを接合すると共に、前記差し筋受入部３に差し筋２を挿通した状態で、柱部材直上空間ＳにコンクリートＣを打設して柱部材Ｐと両梁部材１との一体化を図っていた（例えば、特許文献２参照）。
【０００３】
【特許文献１】特開２００４−３４６５８７号公報（図１４）
【特許文献２】特開２０００−１２０１６６号公報（図１０）
【発明の開示】
【発明が解決しようとする課題】
【０００４】
上述した従来の架構形成方法によれば、第１番目の方法では、柱部材の上に梁部材を設置して架構を形成する際、梁部材が中央のみ支持された片持ち状態となるため、梁部材の端部を支持する支保工を設置しておく必要があり、その支保工の設置・撤去手間が掛かると共に、支保工の設置スペースは、工事期間中を通して占有状態となり、そのスペースが他の作業の障害となり易い。また、梁部材端部間の隙間へのコンクリート打設においては、コンクリートの打設に先駆けて型枠の設置（終了後には撤去）を行う必要があるから、これらの作業に関しても手間が掛かるものであった。
第２番目の方法においても、梁部材を支持する支保工を工事期間中を通して設置しておく必要があり、支保工の設置・撤去の手間が掛かる問題や、支保工設置スペースの占有の問題がある。
【０００５】
従って、本発明の目的は、上記問題点を解消し、手間を掛けずに効率よくプレキャスト製の柱部材と梁部材との架構を形成できる架構形成方法を提供するところにある。
【課題を解決するための手段】
【０００６】
本発明の第１の特徴構成は、プレキャスト製の柱部材を間隔をあけて立設し、それら隣接する柱部材上にわたって、プレキャスト製の複数の梁部材を連結した梁を設置して形成する架構形成方法において、予め、前記柱部材の上端に、前記梁との連結のための差し筋を受け入れて定着可能な差し筋受入部を形成しておくと共に、前記梁部材の端部に、隣接させる梁部材と突き合わせて相互を接合自在な突合せ部を形成しておき、前記柱部材上に、接合させる一対の梁部材を、それぞれの突合せ部どうしが突き合わさる状態に配置して接合し、両梁部材の突合せ部を上下に貫通して前記差し筋受入部に達する状態に前記差し筋を挿通して定着させ、前記柱部材と両梁部材とを一体に連結するところにある。
【０００７】
本発明の第１の特徴構成によれば、梁部材の両端部は、柱部材によって確実に支持されるから、梁部材を支持するための支保工を用意する必要が無く、その設置・撤去手間を省くことができるようになる。更には、梁部材どうしの接合は、突合せ部によって梁部材どうしを突き合わせた状態で実施できるから、従来のように、継手部分に大きな隙間ができ、それを埋めるのにコンクリートを打設すると言ったことも必要が無くなり、効率よく迅速に架構形成工程を進めることが可能となる。
また、従来、設置されていた梁部材下方空間の支保工を省略することができるようになり、建物内空間を広く使用でき、他工程を含めた作業効率の向上をも図ることが可能となる。
そして、柱部材と両梁部材との連結は、前記突合せ部や差し筋によって確実に実施される。
【０００８】
本発明の第２の特徴構成は、前記差し筋は、前記柱部材と前記梁との仕口部上に立設させる柱部材の下端面から下方へ突出する状態に設けておき、その柱部材を立設させることで前記差し筋を仕口部に定着させるところにある。
【０００９】
本発明の第２の特徴構成によれば、本発明の第１の特徴構成による上述の作用効果を叶えることができるのに加えて、柱部材と梁との一体化を図る前記差し筋の設置工程と、仕口部上に立設させる柱部材の立設工程とを、一つの作業で兼用化し、同時進行させることができるから、より効率よく架構形成作業を進めることができる。
【００１０】
本発明の第３の特徴構成は、前記突合せ部は、縦平面として形成しておくところにある。
【００１１】
本発明の第３の特徴構成によれば、本発明の第１又は２の特徴構成による上述の作用効果を叶えることができるのに加えて、突合せ部は、縦平面として形成して柱部材と梁との仕口部においては、両梁部材どうしの合わせ部が単一の縦目地となり、意匠性に富んだ仕上がりを形成することができる。
【００１２】
本発明の第４の特徴構成は、前記突合せ部は、隣接させる突合せ部どうしが組み合わさるホゾ組構造としておくところにある。
【００１３】
本発明の第４の特徴構成によれば、本発明の第１又は２の特徴構成による上述の作用効果を叶えることができるのに加えて、両梁の端部どうしがホゾ組構造でより頑丈に連結され、仕口部の各部材同士の連結品質を向上させることが可能となる。
また、仕口部上に上階の柱が設置されるような場合は、予め、梁部材の端部に柱用の帯鉄筋を設ける必要があるが、ホゾ組構造を採用することで、ホゾの凸部分に、帯鉄筋のすべてを埋設配置しておくことが可能となるので、現場での鉄筋接合等の手間をより省いて、迅速に架構形成作業を進めることが可能となる。
【発明を実施するための最良の形態】
【００１４】
以下に本発明の実施の形態を図面に基づいて説明する。尚、図面において従来例と同一の符号で表示した部分は、同一又は相当の部分を示している。
【００１５】
〔第１実施形態〕
図１は、本発明の架構形成方法の一実施形態で形成された架構の一部を示すもので、プレキャスト製の柱部材Ｐが間隔をあけて立設してあると共に、それら柱部材Ｐ上にわたって、一体的に梁Ｂを設置してラーメン構造が形成されている。
また、前記梁Ｂは、プレキャスト製の複数の梁部材１の端部どうしを、柱部材Ｐの上で連結して構成されており、通常階は、その連結上に上階の柱部材Ｐが設置されている。
【００１６】
前記柱部材Ｐの上端には、前記梁Ｂとの連結のための差し筋２を受け入れて定着可能な差し筋受入部３が形成してある。この差し筋受入部３は、柱部材Ｐの上端面に開口する状態に形成された複数の鉄筋挿入穴で構成されており、前記差し筋２をこの鉄筋挿入穴に挿入した状態で穴内の空隙にグラウト材Ｇを充填して硬化させることで差し筋２と柱部材Ｐとを一体化することができる。
【００１７】
前記梁部材１は、図２〜５に示すように、その端部に、隣接させる別の梁部材と突き合わせて相互を接合自在な突合せ部１Ａが形成されている。
この突合せ部１Ａは、梁部材１の端面を縦平面として構成すると共に、梁部材１の一方の端部では、梁主筋１ａや柱帯筋１ｂを縦平面から突出させて構成してある（図４参照）。そして、梁部材１の他方の端部では、梁主筋１ａや柱帯筋１ｂを受け入れて定着可能な梁筋受入部１ｃとして、前記縦平面に開口する状態に鉄筋挿入穴を形成して構成されている。
従って、連結する梁部材１どうしの突合せ部１Ａを対向させて配置すると共に、前記梁筋受入部１ｃ内に、前記突出した梁主筋１ａや柱帯筋１ｂが進入する状態に両梁部材１を相対的に近接させることで（図４参照）、突合せ部１Ａどうしが当接状態となり（図５参照）、その後、鉄筋挿入穴内の空隙にグラウト材Ｇを充填して硬化させることで（図２、図５参照）、両梁部材１を一体化することができる。
【００１８】
また、梁部材１の端部には、図６に示すように、前記柱部材Ｐの差し筋受入部３に対応する差し筋受入部４が、上下に貫通する複数の鉄筋挿入孔として形成されている。
従って、立設状態の柱部材Ｐの上に、柱幅のほぼ中央部に突合せ部１Ａどうしが位置する状態に両梁部材１を載置した状態で、前記差し筋受入部４を通して前記差し筋受入部３に差し筋２を挿入させて、図７に示すように、穴内の空隙にグラウト材Ｇを充填して硬化させることで、差し筋２を介して梁Ｂと柱部材Ｐとを一体化することができる。
尚、当該実施形態においては、柱梁の仕口部Ｊ上に柱部材Ｐを立設させるタイプを例に挙げているので、前記差し筋２は、上階の柱部材Ｐの下端面から下方へ突出する状態に設けられた柱主筋で構成されており、上階の柱部材Ｐを前記仕口部Ｊ上に立設する一連の作業の中で、差し筋２の設置も行うことができる。
【００１９】
因みに、前記グラウト材Ｇの充填作業は、図には示さないが、予め、梁筋受入部１ｃや差し筋受入部３，４に連通する充填孔を設けておき、その充填孔を通じて実施することができる。
【００２０】
次に、当該架構形成方法の手順について説明する。
［１］  柱部材Ｐを所定の平面位置にそれぞれ立設する。
［２］  隣接する柱部材Ｐの上面にわたって梁部材１を載置する。
［３］  梁部材１の梁筋受入部１ｃが設けられている端部側に、接合する別の梁部材１を配置して、前記梁筋受入部１ｃに対して、梁主筋１ａや柱帯筋１ｂが進入するように近接させて、突合せ部１Ａどうしを接当させる（図４、図５参照）。
［４］  仕口部Ｊ上に、上階の柱部材Ｐを吊り下げながら、差し筋２となる柱主筋が、差し筋受入部４，３に進入するように下げ降ろして立設する（図６参照）。
［５］  梁筋受入部１ｃや差し筋受入部４，３にグラウト材Ｇを充填して硬化させる（図７参照）。
【００２１】
以上の手順によって、梁部材１の支保工を設置しなくても、ラーメン架構を簡単に形成することができ、作業空間を広く使用しながら、迅速に建設工事を進めることが可能となる。
【００２２】
〔第２実施形態〕
図８、図９は、本発明の架構形成方法の二つ目の実施形態で形成された架構の一部を示すもので、先の実施形態の場合と共通する構成は、その説明を割愛し、相違点を中心に説明する。
【００２３】
図から見られるように、梁部材１の突合せ部１Ａの形状が第１実施形態のものと異なる。
【００２４】
本実施形態においては、縦平面に替えて、隣接させる突合せ部１Ａどうしが組み合わさるホゾ組構造として構成してある。
即ち、仕口部Ｊで接合する梁部材１の両突合せ部１Ａは、一方が、突合せ端部の下半断面が突出したホゾＨ１として構成され、他方が、突合せ端部の上半断面が突出したホゾＨ２として構成されている。従って、前記柱部材Ｐ上に前記ホゾＨ１を載置した後、ホゾＨ１上に、ホゾＨ２が載置されるように他方の梁部材１を梁軸芯方向にスライドさせて突合せ部１Ａどうしを接当させる。その際、先の実施形態の場合と同様に、梁主筋１ａは梁筋受入部１ｃ内に進入する。但し、このようなホゾを使用することで、柱帯筋１ｂの全体を、梁部材Ｐの工場生産段階で、ホゾ内に埋設しておくことが可能となり、現場での接合は、梁主筋１ａにしぼって行うことができ、より迅速に架構形成作業を進めることが可能となる。
また、差し筋２の挿入や、上階の柱部材Ｐの立設は、先の実施形態と同様である。
【００２５】
〔別実施形態〕
以下に他の実施の形態を説明する。
【００２６】
〈１〉  前記差し筋２は、先の実施形態で説明したように、上階の柱部材Ｐと一体に設けられたものに限るものではなく、例えば、上階の柱部材Ｐ及び該当階の柱部材Ｐと別体に形成された差し筋２であってもよく、この場合は、差し筋２の長さは、上下の柱部材Ｐにわたるように設定しておくと共に、上階の柱部材Ｐの下端にも差し筋受入部３を形成しておく必要があり、該当階の柱部材Ｐ及び梁部材１にわたって差し筋２を設置した状態で、上面に突出している差し筋２が、上階の柱部材Ｐの差し筋受入部３に納まるように上階の柱部材Ｐを下げ降ろして設置することができる。また、上階に柱部材Ｐを立設しない仕口部Ｊに関しては、差し筋は、該当階の柱部材Ｐから梁部材１にわたる長さを有する単なる差し筋で構成することができる。
また、各梁部材１の突合せ部１Ａにおける梁主筋１ａと梁筋受入部１ｃとの割り振りは、先の実施形態に限るものではなく、それぞれが、何れの梁部材１に形成されていても、一対一に対応してさせてあればよい。
【００２７】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【図面の簡単な説明】
【００２８】
【図１】ラーメン架構の要部を示す一部切欠き正面図
【図２】柱と梁との仕口部を示す一部切欠き正面図
【図３】柱と梁との仕口部を示す上面視断面図
【図４】ラーメン架構形成状況を示す要部の一部切欠き正面図
【図５】ラーメン架構形成状況を示す要部の一部切欠き正面図
【図６】ラーメン架構形成状況を示す要部の一部切欠き正面図
【図７】ラーメン架構形成状況を示す要部の一部切欠き正面図
【図８】別実施形態のラーメン架構形成状況を示す要部の一部切欠き正面図
【図９】別実施形態のラーメン架構形成状況を示す要部の一部切欠き正面図
【図１０】従来のラーメン架構形成状況を示す要部の一部切欠き正面図
【図１１】従来のラーメン架構形成状況を示す要部の一部切欠き正面図
【符号の説明】
【００２９】
１      梁部材
１Ａ    突合せ部
２      差し筋
３      差し筋受入部
Ｂ      梁
Ｊ      仕口部
Ｐ      柱部材
【図１】
2007303154.tif 000003
【図２】
2007303154.tif 000004
【図３】
2007303154.tif 000005
【図４】
2007303154.tif 000006
【図５】
2007303154.tif 000007
【図６】
2007303154.tif 000008
【図７】
2007303154.tif 000009
【図８】
2007303154.tif 000010
【図９】
2007303154.tif 000011
【図１０】
2007303154.tif 000012
【図１１】
2007303154.tif 000013